(57)【特許請求の範囲】
【請求項１】
装填されるディスクの最大トラック数がそれぞれ異なる複数の記録装置を搭載したオーディオ装置であって、
前記複数の記録装置に装填された各ディスクに同一音源の音データを記録する際、前記各ディスクに対し、新たにトラックナンバーが割り当て可能であるか否かを判定する判定手段と、
前記判定手段により、前記各ディスクのうち、トラックナンバーの割り当てが不可と判定されたものがあると、前記全ディスクへのトラックナンバーの割り当てを停止させる処理を行う制御手段と、
を備えることを特徴とするオーディオ装置。
【請求項２】
前記判定手段により、前記各ディスクのうち、トラックナンバーの割り当てが不可と判定されたものがあると、その旨を通知する通知手段を更に備えることを特徴とする請求項１記載のオーディオ装置。
【請求項３】
コンピュータに、
装填されるディスクの最大トラック数がそれぞれ異なる複数の記録装置に装填された各ディスクに同一音源の音データを記録する際、前記各ディスクに対し、新たにトラックナンバーが割り当て可能であるか否かを判定する判定機能と、
前記判定機能により、前記各ディスクのうち、トラックナンバーの割り当てが不可と判定されたものがあると、前記全ディスクへのトラックナンバーの割り当てを停止させる処理を行う制御機能と、
を実現させるためのプログラム。
【請求項４】
前記判定機能により、前記各ディスクのうち、トラックナンバーの割り当てが不可と判定されたものがあると、その旨を通知する通知機能を更に実現させるための請求項３記載のプログラム。
【発明の詳細な説明】
【０００１】
【発明の属する技術分野】
本発明は、オーディオ装置、及びプログラムに関する。
【０００２】
【従来の技術】
近時、ＭＤ（Mini Disc）やＣＤ−Ｒ（Compact Disc-Recordable）等の複数の記録装置を搭載するオーディオ装置が普及している。このようなオーディオ装置において、ＣＤ等に記録された音楽データを各記録装置に記録する際のトラックナンバー（ＴＮＯ）打ちは、各々の記録装置側で独自に行っていた。
【０００３】
【発明が解決しようとする課題】
しかしながら、上記のような従来のオーディオ装置において、規格上のトラック数制限の異なるメディアが装填された２つの記録装置に対して、同時に同一のソースの音楽データを記録する場合、一方の記録装置に装填されたメディアのＴＮＯが先に最大値に達し、以降のＴＮＯ打ちが不可能になっても、他方の記録装置に装填されたメディアには、ＴＮＯ打ちが続行されるため、同一のソースの音楽データ等を記録しても、各々のメディアに記録されるＴＮＯが異なり、両者の記録内容は異なるものと勘違いされることがあった。ちなみに、ＭＤの最大トラック数は２５５、ＣＤ−Ｒの最大トラック数は９９である。
【０００４】
また、従来のオーディオ装置において、同一種類のメディアが装填された２つの記録装置に対して、同時に同一のソースの音楽データ等を記録する場合であっても、既に記録済みのＴＮＯが異なっていれば、一方のメディアが先にトラック数に関する規制を受け、記録可能な最大ＴＮＯが両者で異なってしまうため、ユーザにとって使い勝手のいいものではなかった。
【０００５】
本発明の課題は、複数の記録装置を搭載したオーディオ装置において、同一ソースの音データを各記録装置に装填された記録媒体に記録する場合に、各々の記録媒体への記録トラック数を同一にすることである。
【０００６】
【課題を解決するための手段】
本発明は、装填されるディスクの最大トラック数がそれぞれ異なる複数の記録装置を搭載したオーディオ装置であって、前記複数の記録装置に装填された各ディスクに同一音源の音データを記録する際、前記各ディスクに対し、新たにトラックナンバーが割り当て可能であるか否かを判定する判定手段と、前記判定手段により、前記各ディスクのうち、トラックナンバーの割り当てが不可と判定されたものがあると、前記全ディスクへのトラックナンバーの割り当てを停止させる処理を行う制御手段と、を備えることを特徴としている。
【０００７】
【発明の実施の形態】
以下、図を参照して本発明の実施の形態を詳細に説明する。
まず、構成を説明する。
【０００８】
図１は、本発明を適用したオーディオシステム１００内部の主要部構成を示す図である。図１に示すように、オーディオシステム１００は、ＭＤに対する記録再生部１、ＣＤ−Ｒに対する記録再生部２、システムコントローラ３、キーマトリクス４、ディスプレイ５、ＣＤ再生部６、ＤＩＧＩＴＡＬ ＡＵＤＩＯ Ｉ／Ｆ部７、サブコードデコード部８、カテゴリー判別部９、音声レベル判定部１０、Ｄ／Ａコンバータ１１、Ａ／Ｄコンバータ１２により構成される。
【０００９】
記録再生部１は、ＭＤを装填するためのＭＤ装填部、ＤＳＰ、サーボ回路、光ピックアップ、磁気ヘッド、ＲＦアンプ（何れも図示せず）等により構成され、システムコントローラ３から入力される制御信号に応じて、ＭＤの再生や、Ａ／Ｄコンバータ１２やＤＩＧＩＴＡＬ ＡＵＤＩＯ Ｉ／Ｆ部７から入力される音声信号の録音を行う。
【００１０】
ＤＳＰ（Digital Signal Processor）は、ＭＤへの記録時、Ａ／Ｄコンバータ１２や、ＤＩＧＩＴＡＬ ＡＵＤＩＯ Ｉ／Ｆ部７から入力されるデジタルオーディオデータに対して、ＡＴＲＡＣエンコード処理、及びオーディオデータの一時記録等、ＭＤの記録処理に関わる各種デジタル信号処理を高速で行う。また、ＤＳＰは、ＭＤの再生時には、再生デジタル音声信号に対し、ＡＴＲＡＣデコード処理等のＭＤの再生処理に係る各種デジタル処理を高速で行う。
【００１１】
サーボ回路は、ＲＦアンプ、及びシステムコントローラ３から供給される各種信号に基づいて、サーボ駆動信号を発生し、光ピックアップの２軸機構や、スレッド、スピンドルモータ（何れも図示せず）等を制御する。
【００１２】
光ピックアップは、ＣＤ再生部６において再生されるＣＤの記録時には、ＭＤに対し、ＭＤ上の磁性膜の温度をキュリー点以上まで加熱するための高レベルのレーザ光を出力する。また、光ピックアップは、ＭＤ再生時に、スレッドによりディスクの半径方向に移動しながら、ＭＤに低レベルのレーザ光を照射し、その反射光からＭＤに記録されたデータを読み取る。
【００１３】
磁気ヘッドは、ＭＤ装填部に装填されたＭＤを挟んで光ピックアップと対向する位置に配置され、ＣＤ再生部６において再生されるＣＤの記録時に、光ピックアップとともにスレッドによりディスクの半径方向に移動する。このとき、磁気ヘッドは、ＤＳＰにおいてエンコード処理された音声信号に対応する磁界をＭＤに印加する。
【００１４】
ＲＦアンプは、ＭＤの再生時に、ＭＤに照射されたレーザ光の反射光から、ＲＦ信号、トラッキングエラー信号、フォーカスエラー信号等を抽出する。抽出したＲＦ信号は、ＤＳＰに出力し、トラッキングエラー信号、フォーカスエラー信号等は、サーボ回路に出力する。
【００１５】
図１において、記録再生部２は、ＣＤ−Ｒを装填するためのＣＤ−Ｒ装填部、ＤＳＰ、サーボ回路、光ピックアップ、ＲＦアンプ（何れも図示せず）等により構成され、システムコントローラ３から入力される制御信号に応じて、ＣＤ−Ｒ装填部に装填されたＣＤ−Ｒの再生や、Ａ／Ｄコンバータ１２やＤＩＧＩＴＡＬＡＵＤＩＯ Ｉ／Ｆ部７から入力される音声信号の録音を行う。
【００１６】
ＤＳＰは、ＣＤ−Ｒへの記録時、Ａ／Ｄコンバータ１２や、ＤＩＧＩＴＡＬ ＡＵＤＩＯ Ｉ／Ｆ部７から入力されるデジタル音声信号に対して、ＣＤ−Ｒの記録処理に関わる各種デジタル信号処理を高速で行う。また、ＤＳＰは、ＣＤ−Ｒの再生時には、再生デジタル音声信号に対し、ＥＦＭデコード処理等のＣＤ−Ｒの再生処理に係る各種デジタル処理を高速で行う。
【００１７】
光ピックアップは、ＣＤ再生部６において再生されるＣＤの記録時には、ＣＤ−Ｒの記録面に塗布された有機色素にレーザ光を出力し、色素を焦がしてデータを記録する。また、光ピックアップは、ＣＤ−Ｒ再生時には、スレッドによりディスクの半径方向に移動しながら、ＣＤ−Ｒにレーザ光を照射し、その反射光からＣＤ−Ｒに記録されたデータを読み取る。
【００１８】
なお、記録再生部２内のサーボ回路、ＲＦアンプ等の構成説明は、記録再生部１内のものと同等であるので、ここでの説明は省略する。
【００１９】
図１において、システムコントローラ３は、その内部にＣＰＵ（Central Processing Unit）、ＲＯＭ（Read Only Memory）、ＲＡＭ（Random Access Memory）を有し、各部から入力される信号に応じて、ＲＯＭに格納されているオーディオシステム用の各種制御プログラム、及びアプリケーションプログラム等を読み出してＲＡＭ内のプログラム格納領域に展開して、各種処理を実行し、これらの処理に際して生じる各種データ、をＲＡＭ内に形成されるデータ格納領域に一時的に記憶させる。
【００２０】
例えば、システムコントローラ３は、ＣＤ再生部６のＣＤに記録されたオーディオデータを、記録再生部１、２の各々に装填されたＭＤ、ＣＤ−Ｒに同時に記録する際、図示しないメモリに記憶された各ディスクの管理情報から、ＭＤ、及びＣＤ−ＲへのＴＮＯ打ちが現在可能であるか否かを判定する判定手段としての機能を有する。
【００２１】
また、システムコントローラ３は、ＭＤとＣＤ−Ｒのうち、何れか一方でもＴＮＯ打ちが不可である場合、記録再生部１及び２に対し、各々に装填されたディスクへの記録動作を停止させる処理を行う制御手段としての機能を有する（図２参照）。
【００２２】
ＭＤ及びＣＤ−ＲへのＴＮＯ打ちが可能である場合、システムコントローラ３は、サブコードデコード部８、又は音声レベル判定部１０から入力されるデータにより、再生中のＣＤのＴＮＯの値の変化を検出し、上記ＭＤ及びＣＤ−ＲへのＴＮＯ打ちを指示するＴＮＯ ＣＨＡＮＧＥ検出処理を実行する（図３参照）。
【００２３】
キーマトリクス４は、録音キー、再生キー、停止キー、エンターキー等の各種操作キーを有し、キー操作による操作信号をシステムコントローラ３に出力する。
【００２４】
ディスプレイ５は、ＬＣＤ（Liquid Crystal Display）により構成され、システムコントローラ３の制御に基づいて所要の表示を行う。このディスプレイ５は、ＭＤとＣＤ−Ｒのうち、何れか一方でもＴＮＯ打ちが不可である場合、その旨を表示する通知手段としての機能を有する。
【００２５】
ＣＤ再生部６は、ＣＤを装填するためのＣＤ装填部、ＤＳＰ、サーボ回路、光ピックアップ、ＲＦアンプ（何れも図示せず）等により構成され、システムコントローラ３から入力される制御信号に応じて、ＣＤ部に装填されたＣＤの再生を行う。
【００２６】
ＣＤ再生部６内のＤＳＰは、ＣＤ再生の際のオーディオデータに対し、ＥＦＭデコード処理等の、ＣＤの再生処理に係るデジタル処理を高速で行う。
【００２７】
光ピックアップは、スレッドによりディスクの半径方向に移動しながら、ＣＤにレーザ光を照射し、その反射光からＣＤに記録されたデータを読み取る。
【００２８】
なお、ＣＤ再生部６内のサーボ回路、ＲＦアンプ等の構成説明は、記録再生部２内のものと同等であるので、ここでの説明は省略する。
【００２９】
図１において、ＤＩＧＩＴＡＬ ＡＵＤＩＯ Ｉ／Ｆ部７は、ＣＤ再生部６から入力される各種データから、デジタルオーディオデータや、チャンネルステータスデータ、及びユーザデータを抽出し、デジタルオーディオデータを記録再生部１、２や音声レベル判定部１０に出力し、チャンネルステータスデータをカテゴリー判別部９に出力し、ユーザデータをサブコードデコード部８に出力する。チャンネルステータスデータとは、著作権情報等を含む３２ビットのコードであり、ユーザデータとは、ＣＤのサブコードＱチャンネルデータ等であり、各トラック（楽曲）のトラックナンバーやＩＮＤＥＸ情報を含む。
【００３０】
サブコードデコード部８は、ＤＩＧＩＴＡＬ ＡＵＤＩＯ Ｉ／Ｆ部７から入力されるユーザデータに含まれるサブコード情報（サブコードＱチャンネルデータ）をデコードし、このデコードされたサブコード情報をシステムコントローラ３に出力する。
【００３１】
カテゴリー判別部９は、ＤＩＧＩＴＡＬ ＡＵＤＩＯ Ｉ／Ｆ部７から入力されるチャンネルステータスデータから、ＣＤ再生部６に装填されたＣＤのカテゴリー（機器の種類等）を判別する。
【００３２】
音声レベル判別部１０は、ＤＩＧＩＴＡＬ ＡＵＤＩＯ Ｉ／Ｆ部７、又はＡ／Ｄコンバータ１２から入力されるオーディオデータの音声レベルが、一定値以下であるか否かを判定し、判定結果をシステムコントローラ３に出力する。
【００３３】
Ｄ／Ａコンバータ１１は、記録再生部１におけるＭＤ、記録再生部２におけるＣＤ−Ｒ、ＣＤ再生部６におけるＣＤの再生時に、各部のＤＳＰで処理されたデジタル音声信号をアナログ信号に変換する。
【００３４】
Ａ／Ｄコンバータ１２は、Ｄ／Ａコンバータ１１から入力されるアナログ信号をデジタル信号に変換し、記録再生部１、２や、音声レベル判定部１０に出力する。
【００３５】
次に、本実施の形態の動作を説明する。
以下の動作説明では、記録再生部１、２を、記録部１、２と呼ぶことにする。
【００３６】
まず、ＣＤ再生部６のＣＤに記録されたオーディオデータを、記録部１のＭＤ、及び記録部２のＣＤ−Ｒに記録する際のＴＮＯ Ｍａｒｋ処理について、図２のフローチャートに基づいて説明する。
【００３７】
システムコントローラ３は、キーマトリクス４の録音キー操作により、ＣＤからＭＤ、及びＣＤ―Ｒへの記録開始の指示があるか否かを確認し（ステップＳ１）、記録開始の指示があれば（ステップＳ１；ＹＥＳ）、記録部１、及び記録部２へ、記録開始の指示信号を出力する（ステップＳ２）。
【００３８】
ＣＤから、ＭＤ及びＣＤ−Ｒへの記録が開始されると、システムコントローラ３は、図示しないメモリに記憶された、記録部１に装填されたＭＤの管理情報から、該ＭＤへのＴＮＯ打ちが可能であるか否かを確認する（ステップＳ３）。記録部１のＭＤのＴＮＯが最大値（２５５）に達しておらず、ＴＮＯ打ちが可能であれば、今度は、上記メモリに記録された、記録部２に装填されたＣＤ−Ｒの管理情報から、該ＣＤ−ＲへのＴＮＯ打ちが可能であるか否かを確認する（ステップＳ４）。
【００３９】
記録部２のＣＤ−ＲのＴＮＯが最大値（９９）に達しておらず、ＴＮＯ打ちが可能であれば（ステップＳ４；ＹＥＳ）、システムコントローラ３は、記録部１のＭＤ、及び記録部２のＣＤ−Ｒの両者に対するＴＮＯ打ちが可能であると判断し、後述するＴＮＯ ＣＨＡＮＧＥ検出処理（図３参照）を実行する（ステップＳ５、Ｓ６）。
【００４０】
ＭＤかＣＤ−Ｒの何れかのＴＮＯが最大値に達し、ＴＮＯ打ちが不可能になった場合（ステップＳ３；ＮＯ、又はステップＳ４；ＮＯ）、システムコントローラ３は、記録動作を一旦停止させ、ＴＮＯ打ちが不可になった旨をディスプレイ５に表示させて、ユーザに記録停止の指示を促す。
【００４１】
ＣＤから、ＭＤ及びＣＤ−Ｒへの記録が行われている間、システムコントローラ３は、キーマトリクス４の停止キー操作による記録停止指示があるか否かを確認しており（ステップＳ７）、記録停止の指示がなければ（ステップＳ７；ＮＯ）、ステップＳ３へ移行する。キー操作による記録続行の指示があった場合は、システムコントローラ３は、ＴＮＯ打ちを行わずに記録動作を再開させる。
【００４２】
記録停止の指示があれば（ステップＳ７；ＹＥＳ）、システムコントローラ３は、記録部１、２の両者に記録停止信号を出力し（ステップＳ８）、本ＴＮＯ Ｍａｒｋ処理を終了する。
【００４３】
次に、図２のステップＳ５及びＳ６に示したＴＮＯ ＣＨＡＮＧＥ 検出処理について、図３のフローチャートに基づいて説明する。
【００４４】
まず、システムコントローラ３は、ＣＤからＭＤ、及びＣＤ−Ｒへの記録がデジタル経路での記録であるか否かを判別する（ステップＳ１１）。この記録が、Ｄ／Ａコンバータ１１、Ａ／Ｄコンバータ１２を経由したアナログ経路での記録であれば（ステップＳ１１；ＮＯ）、音声レベル判定部１０は、Ａ／Ｄコンバータ１２から入力されるオーディオデータの音声レベルが一定値以下であるか否かを判定し（ステップＳ１４）、判定結果をシステムコントローラ３に出力する。
【００４５】
ＣＤからＭＤ、及びＣＤ−Ｒへの記録が、デジタル経路での記録であれば（ステップＳ１１；ＹＥＳ）、システムコントローラ３は、ＴＮＯ変化の検出方法として、サブコードＱチャンネルのサブＱデータが監視されるように設定されているか否かを確認する（ステップＳ１２）。ＴＮＯ変化の検出方法として、サブＱデータの監視が設定されていない場合（ステップＳ１２；ＮＯ）、音声レベル判定部１０は、ＤＩＧＩＴＡＬ ＡＵＤＩＯ Ｉ／Ｆ部７経由で入力されるオーディオデータに対して、ステップＳ１４の音声レベル判定を行う。
【００４６】
ＴＮＯ変化の検出方法として、サブＱデータの監視が設定されている場合（ステップＳ１２；ＹＥＳ）、サブコードデコード部８は、ＤＩＧＩＴＡＬ ＡＵＤＩＯ Ｉ／Ｆ部７から入力されるユーザデータに含まれるサブコードＱチャンネルデータをデコードして、システムコントローラ３に出力し、システムコントローラ３は、サブコードデコード部８から入力されたサブコードＱチャンネルのサブＱデータに含まれるＴＮＯの値が変化したか否かを判定する（ステップＳ１３）。サブＱデータのＴＮＯが変化していなければ（ステップＳ１３；ＮＯ）、システムコントローラ３は、ステップＳ１３を繰り返す。
【００４７】
ステップＳ１３において、サブＱデータのＴＮＯの値が変化すると（ステップＳ１３；ＹＥＳ）、システムコントローラ３は、記録部１、及び記録部２に対し、ＴＮＯ打ちを指示し（ステップＳ１５）、本ＴＮＯ ＣＨＡＮＧＥ検出処理を終了する。ステップＳ１４において、ＣＤ再生部６で再生されているＣＤのオーディオデータの音声レベルが一定値以下になった際も（ステップＳ１４；ＹＥＳ）、システムコントローラ３は、ＴＮＯの切り替え時と判断し、記録部１、及び記録部２に対し、ＴＮＯ打ちを指示する（ステップＳ１５）。
【００４８】
以上のように、本実施の形態のオーディオシステム１００によれば、記録再生部１、及び記録再生部２に装填されたディスクに同一ソースの音データを記録する際に、一方の記録再生部に装填されたディスク（例えば、記録再生部２のＣＤ−Ｒ）へのＴＮＯ打ちが不可になると、他方の記録再生部に装填されたディスク（例えば、記録再生部１のＭＤ）へのＴＮＯ打ちを行わないようにしたことで、両方のディスクの記録トラック数が同一となり、両方の記録内容が同一になるため、ユーザを混乱させることがなくなり、使い勝手が向上する。
【００４９】
なお、本実施の形態における記述内容は、本発明の趣旨を逸脱しない範囲で適宜変更可能である。例えば、本実施の形態では、ＭＤ、ＣＤ−ＲへのＴＮＯ打ちが可能であるか否かを判定し、一方のディスクのＴＮＯ打ちが不可になった時点で、他方のディスクのＴＮＯ打ちも終了させるようにしたが、両ディスクへの記録トラック数の値を予め設定し、この設定値を超えた時点で、両者へのＴＮＯ打ちを終了させるようにしてもよい。例えば、本実施の形態のように、ＭＤ（最大ＴＮＯ：２５５）、及びＣＤ−Ｒ（最大ＴＮＯ：９９）への記録例では、両ディスクへの記録トラック数の値として、ＣＤ−Ｒの最大ＴＮＯである９９（最大ＴＮＯが小さい方）に設定することができる。
【００５０】
【発明の効果】
本発明によれば、複数の記録装置に装填された各ディスクに同一音源の音データを記録する際に、判定手段により、トラックナンバーの割り当てが不可と判定されたディスクがあると、制御手段により、全ディスクへのトラックナンバーの割り当てを停止させることにより、上記音データが記録された各々のディスクのトラック総数、及び記録内容が同一となるため、ユーザを混乱させることがなくなり、使い勝手が向上する。
【図面の簡単な説明】
【図１】本発明を適用したオーディオシステム内部の主要部構成を示すブロック図。
【図２】本実施の形態におけるＴＮＯ Ｍａｒｋ処理を示すフローチャート。
【図３】本実施の形態におけるＴＮＯ ＣＨＡＮＧＥ検出処理を示すフローチャート。
【符号の説明】
１、２  記録再生部
３    システムコントローラ
４    キーマトリクス
５    ディスプレイ
６    ＣＤ再生部
７    ＤＩＧＩＴＡＬ ＡＵＤＩＯ Ｉ／Ｆ
８    サブコードデコード
９    カテゴリー判別
１０    音声レベル判定部
１１    Ｄ／Ａコンバータ
１２    Ａ／Ｄコンバータ
１００  オーディオシステム
【図１】
0003785610.tif 000002
【図２】
0003785610.tif 000003
【図３】
0003785610.tif 000004